(57)【要約】【課題】使用する光信号の波長の数を抑えるとともに、大規模ビル内等でのネットワーク等の場合でも光ファイバを増設することなく容易、且つ安価にネットワークの通信対象を増設することができる。【解決手段】メインネットワークが、第１の光ファイバと接続され、前記第１の光ファイバから入力される光信号を、宛先アドレスに対応した波長の光信号に変換して前記第１の光ファイバへ出力するメインコントローラと、前記第１の光ファイバに接続される１つ以上のサブネットワークとを備え、前記サブネットワークが、前記第１の光ファイバと、第２の光ファイバとに接続され、前記第１の光ファイバ内を伝送している光信号、または前記第２の光ファイバから入力される光信号を、宛先アドレスに対応した波長の光信号に変換し、前記第１の光ファイバにアッドし、または前記第２の光ファイバに出力するサブコントローラと、前記第２の光ファイバに接続され、前記第２の光ファイバ内を伝送している光信号をドロップし、またはアッドする第１の光モジュールとを備える。【選択図】        図１
2004208215.tif 000002
【特許請求の範囲】
【請求項１】
メインネットワークが、サブネットワークを階層的に有し、波長分割多重伝送を行うローカルエリア光ネットワークシステムにおいて、
前記メインネットワークは、
第１の光ファイバと接続され、前記第１の光ファイバから入力される光信号を、前記光信号に含まれる宛先アドレスに対応した波長の光信号に変換して前記第１の光ファイバへ出力するメインコントローラと、
前記第１の光ファイバに接続される１つ以上のサブネットワークとを備え、
前記サブネットワークは、
前記第１の光ファイバと、第２の光ファイバとに接続され、前記第１の光ファイバ内を伝送している波長の異なる光信号の中からドロップする予め割り当てられた波長の光信号、または前記第２の光ファイバから入力される光信号を、前記光信号に含まれる宛先アドレスに対応した波長の光信号に変換し、前記宛先アドレスにより前記第１の光ファイバにアッドし、または前記第２の光ファイバに出力するものであって、前記第１の光ファイバにおいて、互いにドロップ、及び／または、アッドする光信号の波長が異なるサブコントローラと、
前記第２の光ファイバに接続され、前記第２の光ファイバ内を伝送している波長の異なる光信号の中から予め割り当てられた波長の光信号をドロップし、及び／または、アッドするものであって、前記第２の光ファイバにおいて、互いにドロップ、及び／または、アッドする光信号の波長が異なる１つ以上の第１の光モジュールと、を備えたことを特徴とするローカルエリア光ネットワークシステム。
【請求項２】
建物間等を接続するネットワークであるメインネットワークが、建物内のネットワークであるサブネットワークを階層的に有し、波長分割多重伝送を行うローカルエリア光ネットワークシステムにおいて、
第１の光ファイバと接続され、前記第１の光ファイバから入力される光信号を、前記光信号に含まれる宛先アドレスに対応した波長の光信号に変換して前記第１の光ファイバへ出力するメインコントローラと、
前記第１の光ファイバに接続される１つ以上のサブネットワークとを備え、
前記サブネットワークは、
前記第１の光ファイバと、第２の光ファイバとに接続され、前記第１の光ファイバ内を伝送している波長の異なる光信号の中からドロップする予め割り当てられた波長の光信号、または前記第２の光ファイバから入力される光信号を、前記光信号に含まれる宛先アドレスに対応した波長の光信号に変換し、前記宛先アドレスにより前記第１の光ファイバにアッドし、または前記第２の光ファイバに出力するものであって、前記第１の光ファイバにおいて、互いにドロップ、及び／または、アッドする光信号の波長が異なるサブコントローラと、
前記第２の光ファイバに接続され、前記第２の光ファイバ内を伝送している波長の異なる光信号の中から予め割り当てられた波長の光信号をドロップし、及び／または、アッドするものであって、前記第２の光ファイバにおいて、互いにドロップ、及び／または、アッドする光信号の波長が異なる１つ以上の第１の光モジュールと、を備えたことを特徴とするローカルエリア光ネットワークシステム。
【請求項３】
建物内の各フロアを接続するネットワークであるメインネットワークが、各フロア内のネットワークであるサブネットワークを階層的に有し、波長分割多重伝送を行うローカルエリア光ネットワークシステムにおいて、
第１の光ファイバと接続され、前記第１の光ファイバから入力される光信号を、前記光信号に含まれる宛先アドレスに対応した波長の光信号に変換して前記第１の光ファイバへ出力するメインコントローラと、
前記第１の光ファイバに接続される１つ以上のサブネットワークとを備え、
前記サブネットワークは、
前記第１の光ファイバと、第２の光ファイバとに接続され、前記第１の光ファイバ内を伝送している波長の異なる光信号の中からドロップする予め割り当てられた波長の光信号、または前記第２の光ファイバから入力される光信号を、前記光信号に含まれる宛先アドレスに対応した波長の光信号に変換し、前記宛先アドレスにより前記第１の光ファイバにアッドし、または前記第２の光ファイバに出力するものであって、前記第１の光ファイバにおいて、互いにドロップ、及び／または、アッドする光信号の波長が異なるサブコントローラと、
前記第２の光ファイバに接続され、前記第２の光ファイバ内を伝送している波長の異なる光信号の中から予め割り当てられた波長の光信号をドロップし、及び／または、アッドするものであって、前記第２の光ファイバにおいて、互いにドロップ、及び／または、アッドする光信号の波長が異なる１つ以上の第１の光モジュールと、を備えたことを特徴とするローカルエリア光ネットワークシステム。
【請求項４】
前記メインコントローラは、ローカルエリア光ネットワークシステム外から入力される特定波長の光信号を、前記光信号に含まれる宛先アドレスに対応した波長の光信号に変換して前記第１の光ファイバへ出力し、または前記第１の光ファイバから入力される光信号を、前記特定波長の光信号に変換してローカルエリア光ネットワークシステム外へ出力するものである請求項１から３のいずれか1項に記載のローカルエリア光ネットワークシステム。
【請求項５】
前記メインコントローラは、
複数の入出力ポートを有し、前記入出力ポートに入力される電気信号を当該電気信号に含まれる宛先アドレスに対応する前記入出力ポートから出力する電気スイッチと、
前記入出力ポートに接続されるとともに、前記第１の光ファイバに接続され、前記入出力ポートから入力される夫々の電気信号を、夫々の前記入出力ポートに割り当てられている波長の光信号に変換して前記第１の光ファイバーへ出力し、また、前記第１の光ファイバからの光信号を電気信号に変換して夫々の波長に割り当てられている前記入出力ポートへ出力する複数の変換器と、を備えるものである請求項１から４のいずれか1項に記載のローカルエリア光ネットワークシステム。
【請求項６】
前記サブコントローラは、
複数の入出力ポートを有し、前記入出力ポートに入力される電気信号を当該電気信号に含まれる宛先アドレスに対応する前記入出力ポートから出力する電気スイッチと、
前記第１の光ファイバに接続され、前記第１の光ファイバ内を伝送している波長の異なる光信号の中から予め割り当てられた波長の光信号をドロップし、及び／または、アッドする第２の光モジュールと、
一つの前記入出力ポートに接続されるとともに、前記第２の光モジュールに接続され、一つの前記入出力ポートから入力される電気信号を、前記予め割り当てられた波長の光信号に変換して前記第２の光モジュールへ出力し、また、前記第２の光モジュールからの光信号を電気信号に変換して入出力ポートへ出力する外部用変換器と、
前記入出力ポートに接続されるとともに、前記第２の光ファイバに接続され、前記入出力ポートから入力される夫々の電気信号を、夫々の前記入出力ポートに割り当てられている波長の光信号に変換して前記第２の光ファイバへ出力するとともに、前記第２の光ファイバからの光信号を電気信号に変換して夫々の波長に割り当てられている前記入出力ポートへ出力する複数の変換器と、を備えたものである請求項１から５のいずれか1項に記載のローカルエリア光ネットワークシステム。
【請求項７】
前記第１の光ファイバに接続され、前記第１の光ファイバ内を伝送している波長の異なる光信号の中から予め割り当てられた波長の光信号をドロップし、及び／または、アッドするものであって、前記第１の光ファイバにおいて、互いにドロップ、及び／または、アッドする光信号の波長が異なる１つ以上の第３の光モジュールをさらに備えるものである請求項１から６のいずれか1項に記載のローカルエリア光ネットワークシステム。
【発明の詳細な説明】
【０００１】
【発明の属する技術分野】
本発明は、波長多重を利用してデータ通信を行うローカルエリア光ネットワークシステムに関する。
【０００２】
【従来の技術】
ローカルエリアネットワーク（Local Area Network：ＬＡＮ）などにおいて、それらに接続される複数の端末装置間のデータ転送は電気信号を用いた電気通信により行われてきた。ここで、端末装置とは、パーソナルコンピュータや電話機など当該ネットワークを利用して通信を行う端末装置を意味する。ところが、近年の転送すべき情報量の増加に伴って電気通信ではその通信容量の限界に達することも予想され、電気通信より通信容量の大きい光ファイバを用いた光通信によりデータ転送を行うシステムに関する研究開発が活発に行われるようになってきている。
【０００３】
例えば、上記特開平５−１４２８３号公報（特許文献１）に開示されたシステムは、リング状の光ファイバと、光ファイバに接続され、アドレスとして互いに異なる波長が割り当てられた４個の光モジュールとを備えており、光モジュールに接続された端末装置間でデータ転送を行うものである。しかし、全ての光モジュール毎に異なる波長を割り当てる必要があり、光モジュールの数が多くなると、これに併せて使用する光信号の波長の数が多くなり、データ転送の制御が難しくなる。
【０００４】
そこで、特願２００２−２６０７９１号公報（特許文献２）に開示されたシステムは、複数のサブネットワークを構成し、これを一つのコントローラで制御するものである。これによればアドレスとして互いに異なる波長が割り当てられた光モジュール数が多くなってもサブネットワークを増設すればよく、波長の数を少なく抑えつつローカルエリア光ネットワークシステムの拡張を行うことができる。
【０００５】
【特許文献１】
特開平５−１４２８３号公報
【特許文献２】
特願２００２−２６０７９１号公報
【０００６】
【発明が解決しようとする課題】
しかしながら、上述したようなシステムでは、大規模ビル内等でのネットワークの場合は、通信対象を増やすためサブネットワークを増設する度に増設ポイントからコントローラ間まで光ファイバを相当距離引き回さなければならない。また、ネットワークの規模が大きくなると多くの分配口を持つコントローラが必要となるため、設備コストが高くなるという問題点があった。
【０００７】
本発明は、上記問題を鑑みてなされたものであって、その目的とするところは、使用する光信号の波長の数を抑えるとともに、大規模ビル内等でのネットワーク等の場合でも光ファイバを増設することなく容易、且つ安価にネットワークの通信対象を増設することができるローカルエリア光ネットワークシステムを提供することにある。
【０００８】
【課題を解決するための手段】
前記課題を解決するための本発明の請求項１に記載のローカルエリア光ネットワークシステムは、メインネットワークが、サブネットワークを階層的に有し、波長分割多重伝送を行うローカルエリア光ネットワークシステムにおいて、前記メインネットワークは、第１の光ファイバと接続され、前記第１の光ファイバから入力される光信号を、前記光信号に含まれる宛先アドレスに対応した波長の光信号に変換して前記第１の光ファイバへ出力するメインコントローラと、前記第１の光ファイバに接続される１つ以上のサブネットワークとを備え、前記サブネットワークは、前記第１の光ファイバと、第２の光ファイバとに接続され、前記第１の光ファイバ内を伝送している波長の異なる光信号の中からドロップする予め割り当てられた波長の光信号、または前記第２の光ファイバから入力される光信号を、前記光信号に含まれる宛先アドレスに対応した波長の光信号に変換し、前記宛先アドレスにより前記第１の光ファイバにアッドし、または前記第２の光ファイバに出力するものであって、前記第１の光ファイバにおいて、互いにドロップ、及び／または、アッドする光信号の波長が異なるサブコントローラと、前記第２の光ファイバに接続され、前記第２の光ファイバ内を伝送している波長の異なる光信号の中から予め割り当てられた波長の光信号をドロップし、及び／または、アッドするものであって、前記第２の光ファイバにおいて、互いにドロップ、及び／または、アッドする光信号の波長が異なる１つ以上の第１の光モジュールと、を備えたことを特徴とする。
この構成によるとメインネットワークにサブネットワークが階層的に接続されており、メインネットワークにおいて使用される光ファイバ、及び各サブネットワークにおいて使用される光ファイバが物理的に独立する。このため、メインネットワーク、及び、各サブネットワーク間において、独立して光信号の波長を割り振ることができ、使用する光信号の波長の数を少なく抑えることができる。また、サブネットワークは、サブコントローラを介してサブネットワークの近傍にある第１の光ケーブルに夫々接続されればよい。これにより、光ファイバの増設を最小限に抑えて容易にネットワークシステムの通信対象を増設することができる。また、サブコントローラを標準化し、さらにサブコントローラと類似の機能を有するメインコントローラとの部品を共通化することで製造コストを下げることができる。これによりローカルエリア光ネットワークシステムを安価に構成することができる。
【０００９】
請求項２に記載のローカルエリア光ネットワークシステムは、建物間等を接続するネットワークであるメインネットワークが、建物内のネットワークであるサブネットワークを階層的に有し、波長分割多重伝送を行うローカルエリア光ネットワークシステムにおいて、第１の光ファイバと接続され、前記第１の光ファイバから入力される光信号を、前記光信号に含まれる宛先アドレスに対応した波長の光信号に変換して前記第１の光ファイバへ出力するメインコントローラと、前記第１の光ファイバに接続される１つ以上のサブネットワークとを備え、前記サブネットワークは、前記第１の光ファイバと、第２の光ファイバとに接続され、前記第１の光ファイバ内を伝送している波長の異なる光信号の中からドロップする予め割り当てられた波長の光信号、または前記第２の光ファイバから入力される光信号を、前記光信号に含まれる宛先アドレスに対応した波長の光信号に変換し、前記宛先アドレスにより前記第１の光ファイバにアッドし、または前記第２の光ファイバに出力するものであって、前記第１の光ファイバにおいて、互いにドロップ、及び／または、アッドする光信号の波長が異なるサブコントローラと、前記第２の光ファイバに接続され、前記第２の光ファイバ内を伝送している波長の異なる光信号の中から予め割り当てられた波長の光信号をドロップし、及び／または、アッドするものであって、前記第２の光ファイバにおいて、互いにドロップ、及び／または、アッドする光信号の波長が異なる１つ以上の第１の光モジュールと、を備えたことを特徴とする。
この構成によると、建物間を接続するネットワークであるメインネットワークに各建物内のネットワークであるサブネットワークが階層的に接続されており、メインネットワークにおいて使用される光ファイバ、及び各サブネットワークにおいて使用される光ファイバが物理的に独立する。このため、メインネットワーク、及び、各サブネットワーク間において、独立して光信号の波長を割り振ることができ、使用する光信号の波長の数を少なく抑えることができる。また、サブネットワークは、サブコントローラを介してサブネットワークの近傍にある第１の光ケーブルに夫々接続されればよい。これにより、建物間を接続するネットワークの場合でも光ファイバの増設を最小限に抑えて容易にネットワークシステムの通信対象を増設することができる。また、サブコントローラを標準化し、さらにサブコントローラと類似の機能を有するメインコントローラとの部品を共通化することで製造コストを下げることができる。これによりローカルエリア光ネットワークシステムを安価に構成することができる。
【００１０】
請求項３に記載のローカルエリア光ネットワークシステムは、建物内の各フロアを接続するネットワークであるメインネットワークが、各フロア内のネットワークであるサブネットワークを階層的に有し、波長分割多重伝送を行うローカルエリア光ネットワークシステムにおいて、第１の光ファイバと接続され、前記第１の光ファイバから入力される光信号を、前記光信号に含まれる宛先アドレスに対応した波長の光信号に変換して前記第１の光ファイバへ出力するメインコントローラと、前記第１の光ファイバに接続される１つ以上のサブネットワークとを備え、前記サブネットワークは、前記第１の光ファイバと、第２の光ファイバとに接続され、前記第１の光ファイバ内を伝送している波長の異なる光信号の中からドロップする予め割り当てられた波長の光信号、または前記第２の光ファイバから入力される光信号を、前記光信号に含まれる宛先アドレスに対応した波長の光信号に変換し、前記宛先アドレスにより前記第１の光ファイバにアッドし、または前記第２の光ファイバに出力するものであって、前記第１の光ファイバにおいて、互いにドロップ、及び／または、アッドする光信号の波長が異なるサブコントローラと、前記第２の光ファイバに接続され、前記第２の光ファイバ内を伝送している波長の異なる光信号の中から予め割り当てられた波長の光信号をドロップし、及び／または、アッドするものであって、前記第２の光ファイバにおいて、互いにドロップ、及び／または、アッドする光信号の波長が異なる１つ以上の第１の光モジュールと、を備えたことを特徴とする。
この構成によると、建物内の各フロアを接続するネットワークであるメインネットワークに各フロア内のネットワークであるサブネットワークが階層的に接続されており、メインネットワークにおいて使用される光ファイバ、及び各サブネットワークにおいて使用される光ファイバが物理的に独立する。このため、メインネットワーク、及び、各サブネットワーク間において、独立して光信号の波長を割り振ることができ、使用する光信号の波長の数を少なく抑えることができる。また、サブネットワークは、サブコントローラを介してサブネットワークの近傍にある第１の光ケーブルに夫々接続されればよい。これにより、建物内の各フロアを接続するネットワークの場合でも光ファイバの増設を最小限に抑えて容易にネットワークシステムの通信対象を増設することができる。また、サブコントローラを標準化し、さらにサブコントローラと類似の機能を有するメインコントローラとの部品を共通化することで製造コストを下げることができる。これによりローカルエリア光ネットワークシステムを安価に構成することができる。
【００１１】
請求項４に記載のローカルエリア光ネットワークシステムは、請求項１から３のいずれか1項において、前記メインコントローラは、ローカルエリア光ネットワークシステム外から入力される特定波長の光信号を、前記光信号に含まれる宛先アドレスに対応した波長の光信号に変換して前記第１の光ファイバへ出力し、または前記第１の光ファイバから入力される光信号を、前記特定波長の光信号に変換してローカルエリア光ネットワークシステム外へ出力するものである。
この構成によると、メインコントローラを介してローカルエリア光ネットワークシステムと公衆回線や、他のネットワークとの接続が可能となる。
【００１２】
請求項５に記載のローカルエリア光ネットワークシステムは、請求項１から４のいずれか1項において、複数の入出力ポートを有し、前記入出力ポートに入力される電気信号を当該電気信号に含まれる宛先アドレスに対応する前記入出力ポートから出力する電気スイッチと、前記入出力ポートに接続されるとともに、前記第１の光ファイバに接続され、前記入出力ポートから入力される夫々の電気信号を、夫々の前記入出力ポートに割り当てられている波長の光信号に変換して前記第１の光ファイバーへ出力し、また、前記第１の光ファイバからの光信号を電気信号に変換して夫々の波長に割り当てられている前記入出力ポートへ出力する複数の変換器と、を備えるものである。
この構成によると、メインネットワークの光ファイバ内を伝送する複数波長の光信号をメインコントローラで集中管理することでメインネットワーク上の通信対象間で複雑な光信号管理をする必要がなくなる。
【００１３】
請求項６に記載のローカルエリア光ネットワークシステムは、請求項１から５のいずれか１項において、前記サブコントローラは、複数の入出力ポートを有し、前記入出力ポートに入力される電気信号を当該電気信号に含まれる宛先アドレスに対応する前記入出力ポートから出力する電気スイッチと、前記第１の光ファイバに接続され、前記第１の光ファイバ内を伝送している波長の異なる光信号の中から予め割り当てられた波長の光信号をドロップし、及び／または、アッドする第２の光モジュールと、一つの前記入出力ポートに接続されるとともに、前記第２の光モジュールに接続され、一つの前記入出力ポートから入力される電気信号を、前記予め割り当てられた波長の光信号に変換して前記第２の光モジュールへ出力し、また、前記第２の光モジュールからの光信号を電気信号に変換して入出力ポートへ出力する外部用変換器と、前記入出力ポートに接続されるとともに、前記第２の光ファイバに接続され、前記入出力ポートから入力される夫々の電気信号を、夫々の前記入出力ポートに割り当てられている波長の光信号に変換して前記第２の光ファイバへ出力するとともに、前記第２の光ファイバからの光信号を電気信号に変換して夫々の波長に割り当てられている前記入出力ポートへ出力する複数の変換器と、を備えたものである。
この構成によると、サブネットワークの光ファイバ内を伝送する複数波長の光信号をサブコントローラで集中管理することでサブネットワーク上の通信対象間で複雑な光信号管理をする必要がなくなる。
【００１４】
請求項７に記載のローカルエリア光ネットワークシステムは、請求項１から６のいずれか1項において、前記第１の光ファイバに接続され、前記第１の光ファイバ内を伝送している波長の異なる光信号の中から予め割り当てられた波長の光信号をドロップし、及び／または、アッドするものであって、前記第１の光ファイバにおいて、互いにドロップ、及び／または、アッドする光信号の波長が異なる１つ以上の第３の光モジュールをさらに備えるものである
この構成によると、メインネットワークに、サブネットワークだけでなく通信対象を直接接続することができるため、より柔軟なネットワークを構成することができる。
【００１５】
【発明の実施の形態】
＜第１の実施の形態＞
以下、本発明に係る第１の実施の形態について図面を参照しつつ説明する。
【００１６】
まず、本発明に係る第１の実施の形態におけるローカルエリア光ネットワークシステムの構成について図１を参照しつつ説明する。図１は、第１の実施の形態におけるローカルエリア光ネットワークシステム１のシステム構成の一例を示す図である。尚、図中の矢印は光信号の伝送方向を示している。
【００１７】
図１に示すローカルエリア光ネットワークシステム１は、建物７０ａ〜７０ｄ間を接続するメインネットワーク２を構成し、外部のネットワークに接続されたメインコントローラ１０と、メインコントローラ１０と建物間をループ状に接続する第１の光ファイバである光ファイバ３と、建物７０ａ〜７０ｄの各建物内に構成されたネットワークであり、サブコントローラ３０ａ〜３０ｄを介して光ファイバ３上に接続された複数のサブネットワーク４ａ〜４ｄとを備えている。この実施例は、複数の建物が比較的狭い範囲に集まっているマンションビル群や団地などのビル群が好例である。
【００１８】
建物７０ａには、メインネットワーク２の光ファイバ３に接続されたサブコントローラ３０ａが配置されている。さらに、建物７０ａには、サブコントローラ３０ａを介して光ファイバ３に接続されたサブネットワーク４ａが配置されている。サブネットワーク４ａは、サブコントローラ３０ａと、サブコントローラ３０ａに接続されている第２の光ファイバである光ファイバ５ａと、光ファイバ５ａに接続され、光ファイバ５ａと各種端末との接続を中継するノード６０ａａ，６０ａｂとから構成されている。
建物７０ｂには、メインネットワーク２の光ファイバ３に接続されたサブコントローラ３０ｂが配置されている。さらに、建物７０ｂには、サブコントローラ３０ｂを介して光ファイバ３に接続されたサブネットワーク４ｂが配置されている。サブネットワーク４ｂは、サブコントローラ３０ｂと、サブコントローラ３０ｂに接続されている光ファイバ５ｂと、光ファイバ５ｂに接続され、光ファイバ５ｂと各種端末との接続を中継するノード６０ｂａ，６０ｂｂとから構成されている。
建物７０ｃには、メインネットワーク２の光ファイバ３に接続されたサブコントローラ３０ｃが配置されている。さらに、建物７０ｃには、サブコントローラ３０ｃを介して光ファイバ３に接続されたサブネットワーク４ｃが配置されている。サブネットワーク４ｃは、サブコントローラ３０ｃと、サブコントローラ３０ｃに接続されている光ファイバ５ｃと、光ファイバ５ｃに接続され、光ファイバ５ｃと各種端末との接続を中継するノード６０ｃａ〜６０ｃｃとから構成されている。
建物７０ｄには、メインネットワーク２の光ファイバ３に接続されたサブコントローラ３０ｄが配置されている。さらに、建物７０ｄには、サブコントローラ３０ｄを介して光ファイバ３に接続されたサブネットワーク４ｄが配置されている。サブネットワーク４ｄは、サブコントローラ３０ｄと、サブコントローラ３０ｄに接続されている光ファイバ５ｄと、光ファイバ５ｄに接続され、光ファイバ５ｄと各種端末との接続を中継するノード６０ｄａ〜６０ｄｃとから構成されている。
このようにローカルエリア光ネットワークシステム１は、メインネットワーク２を第１階層、フロア内のネットワークであるサブネットワーク４ａ〜４ｄを第２階層とした階層構造となっている。
【００１９】
次にメインコントローラ１０の構成について図２を参照しつつ説明する。図２は、メインコントローラ１０の内部構成を示したブロック図である。メインコントローラ１０は、電気スイッチであるLayer 3 Switch（以下、Ｌ３ＳＷと称す。）１１と、Ｌ３ＳＷ１１のポートＳＰ０に接続された外部用変換器１２と、Ｌ３ＳＷ１２のポートＳＰ１〜ＳＰ８に接続されたマルチプレックスモジュール（以下、ＭＰＸモジュールと称す。）１３とを備えている。
【００２０】
Ｌ３ＳＷ１１は、ＬＡＮ（Local Area Network）などで用いられる公知のスイッチで、ＯＳＩ（Open Systems Interconnection）の７層モデルの第３層レベルのスイッチングを行う装置である。このＬ３ＳＷ１１は、Ｌ３ＳＷ１１の各ポートに入力されるデータをそれに含まれる宛先アドレスに基づいてその宛先アドレスに対応するポートからデータを出力し、サブネットワーク間のスイッチングを行う。尚、宛先アドレスとして広く使用されているＩＰアドレスなどが考えられる。また、サブネットワークとは、ＩＰアドレスをマスクにより区分し、ＩＰアドレスの値によるグルーピングを行う公知の概念であってもよいし、或いは、特定のＩＰアドレスの値を指定した、ＩＰアドレス群であっても良い。Ｌ３ＳＷ１１のスイッチ機能とは、このサブネットワークのＩＰアドレスに対しスイッチングするもので、例えば、Ｖｉｒｔｕａｌ  ＬＡＮを指定し、Ｖｉｒｔｕａｌ  ＬＡＮ間でスイッチングが適用できる。また、Ｌ３ＳＷ１１の代わりに公知のルータによりサブネットワーク間をルーティングする手法もとることができる。また、小規模の場合は第２層のスイッチを使うことも可能である。
外部用変換器１２は、ローカルエリア光ネットワークシステム１の外部から入力される、例えば波長１．３（μｍ）の光信号を電気信号に変換して電気信号をＬ３ＳＷ１１のポートＳＰ０へ出力し、また、Ｌ３ＳＷ１１のポートＳＰ０からの電気信号を、例えば波長１．３（μｍ）の光信号に変換して光信号を外部へ出力する。
【００２１】
ＭＰＸモジュール１３は、Ｌ３ＳＷ１１のポートＳＰ１〜ＳＰ８の夫々に接続された変換器２１〜２８と、合波器１４と、分波器１５とを、備えている。
変換器２１〜２８は、夫々と接続されるＬ３ＳＷ１１のポートＳＰ１〜ＳＰ８から入力される電気信号を夫々に対応する波長λ01〜λ08の光信号に変換して光信号を合波器１４へ出力し、また、分波器１５からの波長λ01〜λ08の光信号を電気信号に変換して電気信号を夫々と接続されるＬ３ＳＷ１１のポートＳＰ１〜ＳＰ８へ出力する。ここで、波長λ01〜λ08は、互いに異なっており、例えば、１．５（μｍ）帯の波長である。
【００２２】
合波器１４は、変換器２１〜２８からの波長λ01〜λ08の光信号を合波してメインネットワーク２の光ファイバ３へ出力する。分波器１５は、光ファイバ３からの光信号を波長λ01〜λ08の光信号に分波して、夫々の波長に対応した変換器２１〜２８へ出力する。
以上の構成でメインコントローラ１０は、メインネットワーク２の波長分割多重伝送をコントロールしている。
【００２３】
次にサブネットワーク４ａ〜４ｄの構成について図１を参照しつつ説明する。サブネットワーク４ａ〜４ｄは光ファイバ３において、互いにドロップ、またはアッドする光信号の波長が異なること以外の基本的な構成は同一であるのでサブネットワーク４ｃについてのみ説明する。サブネットワーク４ｃは、メインネットワーク２の光ファイバ３に接続されたサブコントローラ３０ｃと、サブコントローラ３０ｃに接続された光ファイバ５ｃと、光ファイバ５ｃ上に接続された複数のノード６０ｃａ〜６０ｃｃとを備えている。
サブコントローラ３０ｃの構成について図３を参照しつつ説明する。図３は、サブコントローラ３０ｃの内部構成を示したブロック図である。サブコントローラ３０ｃは、電気スイッチであるＬ３ＳＷ３１ｃと、Ｌ３ＳＷ３１ｃのポートＳＰ０に接続された外部用変換器３２ｃと、光ファイバ３の途中に挿入され、外部用変換器３２ｃと接続された第２の光モジュールである光アッドドロップ多重（Optical Add Drop Multiplex：ＯＡＤＭ）モジュール５０ｃと、Ｌ３ＳＷ３１ｃのポートＳＰ１〜ＳＰ８に接続されたＭＰＸモジュール３３ｃとを備えている。
【００２４】
Ｌ３ＳＷ３１ｃは、ＬＡＮなどで用いられる公知のスイッチで、ＯＳＩの７層モデルの第３層レベルのスイッチングを行う装置である。このＬ３ＳＷ２１０ｃは、Ｌ３ＳＷ３１ｃの各ポートに入力されるデータをそれに含まれる宛先アドレスに基づいてその宛先アドレスに対応するポートからデータを出力し、ノード間のスイッチングを行う。尚、宛先アドレスとして広く使用されているＩＰアドレスなどが考えられる。
外部用変換器３２ｃは、ＯＡＤＭモジュール５０ｃを介してメインネットワーク２の光ファイバ３から入力される光信号を電気信号に変換して電気信号をＬ３ＳＷ３１ｃのポートＳＰ０へ出力し、また、Ｌ３ＳＷ３１のポートＳＰ０からの電気信号を光信号に変換し、ＯＡＤＭモジュール５０ｃを介してメインネットワーク２の光ファイバ３へ出力する。
【００２５】
ＭＰＸモジュール３３ｃは、Ｌ３ＳＷ３１ｃのポートＳＰ１〜ＳＰ８の夫々に接続された変換器４１ｃ〜４８ｃと、合波器３４ｃと、分波器３５ｃとを備えている。
変換器４１ｃ〜４８ｃは、夫々と接続されるＬ３ＳＷ３１ｃのポートＳＰ１〜ＳＰ８から入力される電気信号を夫々に対応する波長λ11〜λ18の光信号に変換して光信号を合波器３４ｃへ出力し、また、分波器３５ｃからの波長λ11〜λ18の光信号を電気信号に変換して電気信号を夫々と接続されるＬ３ＳＷ３１ｃのポートＳＰ１〜ＳＰ８へ出力する。ここで、波長λ11〜λ18は、互いに異なっており、例えば、１．５（μｍ）帯の波長である。
【００２６】
合波器３４ｃは、変換器４１ｃ〜４８ｃからの波長λ11〜λ18の光信号を合波してサブネットワーク４ｃの光ファイバ５ｃへ出力する。分波器３５ｃは、光ファイバ５ｃからの光信号を波長λ11〜λ18の光信号に分波して、夫々の波長に対応した変換器４１ｃ〜４８ｃへ出力する。
【００２７】
ＯＡＤＭモジュール５０ｃは、ＯＡＤＭモジュールの作用例である図４（ａ）に示すように、光ファイバ３中を伝送している波長λ01〜λ08の光信号の中から予め光ファイバ３上で他のＯＡＤＭモジュールと重複しないように決められている波長λ03の光信号をドロップするとともに、波長λ03以外の光信号をそのままスルーする。また、ＯＡＤＭモジュール５０ｃは、図４（ｂ）に示すように、波長λ03の光信号を光ファイバにアッドする。
【００２８】
次にノード６０ｃａ〜６０ｃｃの構成について図５を参照しつつ説明する。ノード６０ｃａ〜６０ｃｃは光ファイバ５ｃにおいて、互いにドロップ、またはアッドする光信号の波長が異なること以外の基本的な構成は同一であるのでノード６０ｃａについてのみ説明する。図５は、ノード６０ｃａの内部構成を示したブロック図である。ノード６０ｃａは、サブネットワーク４ｃの光ファイバ５ｃの途中に挿入さている第１の光モジュールであるＯＡＤＭモジュール６１ｃａと、ＯＡＤＭモジュール６１ｃａに接続された外部用変換器６２ｃａとを備えている。
ＯＡＤＭモジュール６１ｃａは、ＯＡＤＭモジュールの作用例である図４（ａ）に示すように、光ファイバ５ｃ中を伝送している波長λ11〜λ18（図４の例では波長λ01〜λ08）の光信号の中から予め同じネットワーク上で他のＯＡＤＭモジュールと重複しないように決められている波長λ11（図４の例では波長λ03）の光信号をドロップするとともに、波長λ11以外の光信号をそのままスルーする。また、ＯＡＤＭモジュール６１ｃａは、図４（ｂ）に示すように、波長λ11（図４の例では波長λ03）の光信号を光ファイバ５ｃにアッドする。
外部用変換器６２ｃａは、光／電気変換器と電気／光変換器とを有する変換器であり、この場合、波長λ11の波長の光信号を送受信する。また、６２ｃａにはコンピュータなどの端末装置等が接続される。
尚、サブネットワーク４ｃの例では光ケーブル５ｃ上に３つのノード６０ｃａ〜６０ｃｃが接続されているが、サブネットワーク毎に個別に構成されるものであり、サブコントローラのＭＰＸモジュールが有するポート数を限度にノードを追加することも可能であるし、接続されているノードが一つであってもよい。
【００２９】
以上のように構成されるサブネットワークは、メインネットワーク２の光ケーブル３上の任意の位置に接続可能であるとともに、メインコントローラ１０のＭＰＸモジュール１３が有するポート数を限度に増設可能である。
また、メインネットワーク２の光ケーブル３上に、ノードを１つ以上接続するような構成でもよい。
【００３０】
ローカルエリア光ネットワークシステム１で使用する波長の値については、ＣＷＤＭ（Coarse Wavelength-Division Multiplexing）として研究されている波長を選択するのが好適である。例えば、１．４７（μｍ）、１．４９（μｍ）、１．５１（μｍ）、１．５３（μｍ）、１．５５（μｍ）、１．５７（μｍ）、１．５９（μｍ）、１．６１（μｍ）の８波長を使用できる。サブネットワークを８指定すれば、各サブネットワーク上で８波を独立に使用できるため、最大６４個のノードを設置することができる。従って、合計６４のノードに対して、夫々独立した帯域の相互通信を行うことができる。このように少数の波長で通信ノード数を格段に増加させることができる。
【００３１】
以下、上述したローカルエリア光ネットワークシステム１の動作について図面を参照しつつ説明する。
【００３２】
まず、本ローカルエリア光ネットワークシステム１の外部から本システム１のサブネットワーク上のノードに接続された端末装置へデータが転送される場合について図６を参照しつつ説明する。図６は、ローカルエリア光ネットワークシステム１の動作フローを示すフローチャートである。但し、図６は、図１における外部からサブネットワーク４ｃのノード６０ｃｂに接続された端末装置へデータが転送される場合である。尚、外部からノード６０ｃｂ以外のノードに接続された端末装置へのデータ転送も実質的に同様である。
【００３３】
外部からの、例えば波長１．３（μｍ）の光信号がメインコントローラ１０に到達する（ステップＳ１１０）。そして、メインコントローラ１０の外部用変換器１２で波長１．３（μｍ）の光信号から電気信号に変換され、Ｌ３ＳＷ１１のポートＳＰ０へ出力される（ステップＳ１２０）。Ｌ３ＳＷ１１に入力された電気信号は、Ｌ３ＳＷ１１のスイッチング機能により、それに含まれる宛先アドレスに基づいて、その宛先アドレスに対応するポート、ここでは、ポートＳＰ３から出力されて、ＭＰＸモジュール１３に入力される（ステップＳ１３０）。Ｌ３ＳＷ１１からＭＰＸモジュール１３に入力された電気信号は、変換器２３で波長λ03の光信号に変換される（ステップＳ１４０）。変換器２３で変換された波長λ03の光信号は、合波器１４へ出力され、合波器１４で他の波長の光信号と合波され、メインネットワーク２の光ファイバ３へ出力される（ステップＳ１５０）。光ファイバ３に入力された波長λ03の光信号は、光ファイバ３中を伝送し、サブコントローラ３０ａのＯＡＤＭモジュール５０ａと、サブコントローラ３０ｂのＯＡＤＭモジュール５０ｂとをスルーし（ステップＳ１６０）、さらに光ファイバ３中を伝送し、サブコントローラ３０ｃのＯＡＤＭモジュール５０ｃでドロップされ、サブネットワーク４ｃのサブコントローラ３０ｃに到達する（ステップＳ１７０）。
【００３４】
そして、サブコントローラ３０ｃに到達した光信号は、サブコントローラ３０ｃの外部用変換器３２ｃで波長λ03の光信号から電気信号に変換され、Ｌ３ＳＷ３１ｃのポートＳＰ０へ出力される（ステップＳ１８０）。Ｌ３ＳＷ３１ｃに入力された電気信号は、Ｌ３ＳＷ３１ｃのスイッチング機能により、それに含まれる宛先アドレスに基づいて、その宛先アドレスに対応するポート、ここでは、ポートＳＰ２から出力されて、ＭＰＸモジュール３３ｃに入力される（ステップＳ１９０）。Ｌ３ＳＷ３１ｃからＭＰＸモジュール３３ｃに入力された電気信号は、変換器４２ｃで波長λ12の光信号に変換される（ステップＳ２００）。変換器４２ｃで変換された波長λ12の光信号は、合波器３４ｃへ出力され、合波器３４ｃで他の波長の光信号と合波され、サブネットワーク４ｃの光ファイバ５ｃへ出力される（ステップＳ２１０）。光ファイバ５ｃに入力された波長λ12の光信号は、光ファイバ５ｃ中を伝送し、ノード６０ｃａのＯＡＤＭモジュール６１ｃａをスルーし（ステップＳ２２０）、さらに光ファイバ５中を伝送し、ノード６０ｃｂのＯＡＤＭモジュール６１ｃｂでドロップされ、外部用変換器６２ｃｂに出力される。外部用変換器６２ｃｂに出力された光信号は、外部用変換器６２ｃｂにより光信号から電気信号に変換されてノード６０ｃｂに接続された端末装置へ出力される（ステップＳ２３０）。
【００３５】
次に、ローカルエリア光ネットワークシステム１のサブネットワークのノードに接続された端末装置からローカルエリア光ネットワークシステム１外へデータが転送される場合について図７を参照しつつ説明する。図７は、ローカルエリア光ネットワークシステム１の動作フローを示すフローチャートである。但し、図７は、図１におけるサブネットワーク４ｃのノード６０ｃｂに接続された端末装置からローカルエリア光ネットワークシステム１外へデータが転送される場合である。尚、サブネットワーク４ｃのノード６０ｃｂ以外のノードに接続された端末装置からローカルエリア光ネットワークシステム１外へのデータ転送も実質的に同様である。
【００３６】
ローカルエリア光ネットワークシステム１のサブネットワーク４ｃのノード６０ｃｂに接続された端末装置からの電気信号が、ノード６０ｃｂに到達し（ステップＳ３１０）、ノード６０ｃｂに到達した電気信号は、外部用変換部６２ｃｂに入力されて波長λ12の光信号に変換される。外部用変換部６２ｃｂに変換された波長λ12の光信号は、ＯＡＤＭモジュール６１ｃｂに入力され、ＯＡＤＭモジュール６１ｃｂに入力された波長λ12の光信号は、ＯＡＤＭモジュール６１ｃｂによってサブネットワーク４ｃの光ファイバ５ｃにアッドされる（ステップＳ３２０）。光ファイバ５ｃにアッドされた波長λ12の光信号は、光ファイバ５ｃ中を伝送し、ノード６０ｃｃのＯＡＤＭモジュール６１ｃｃをスルーし（ステップＳ３３０）、サブコントローラ３０ｃのＭＰＸモジュール３３ｃへ到達する（ステップＳ３４０）。ＭＰＸモジュール３３ｃに到達した波長λ12の光信号は分波器３５ｃで分波されて変換器４２ｃへ出力され、波長λ12の光信号は、変換器４２ｃで電気信号に変換され、Ｌ３ＳＷ３１ｃのポートＳＰ２へ出力される（ステップＳ３５０）。Ｌ３ＳＷ３１ｃに入力された電気信号は、Ｌ３ＳＷ３１ｃのスイッチング機能により、それに含まれる宛先アドレスに基づいて、その宛先アドレスに対応するポート、ここでは、ポートＳＰ０から出力されて、外部用変換器３２ｃへ出力される（ステップＳ３６０）。Ｌ３ＳＷ３１ｃから外部用変換器３２ｃに入力された電気信号は、外部用変換器３２ｃで波長λ03の光信号に変換され（ステップＳ３７０）、変換された波長λ03の光信号は、サブコントローラ３０ｃのＯＡＤＭモジュール５０ｃに出力される。ＯＡＤＭモジュール５０ｃに入力された波長λ03の光信号は、ＯＡＤＭモジュール５０ｃによって、メインネットワーク２の光ファイバ３にアッドされる（ステップＳ３８０）。
【００３７】
光ファイバ３にアッドされた波長λ03の光信号は、光ファイバ３中を伝送し、サブコントローラ３０ｄのＯＡＤＭモジュール５０ｄをスルーし（ステップＳ３９０）、メインコントローラ１０のＭＰＸモジュール１３へ到達する（ステップＳ４００）。ＭＰＸモジュール１３に到達した波長λ03の光信号は分波器１５で分波されて変換器２３へ出力され、波長λ03の光信号は、変換器２３で電気信号に変換され、Ｌ３ＳＷ１１のポートＳＰ３へ出力される（ステップＳ４１０）。Ｌ３ＳＷ１１に入力された電気信号は、Ｌ３ＳＷ１１のスイッチング機能により、それに含まれる宛先アドレスに基づいて、その宛先アドレスに対応するポート、ここでは、ポートＳＰ０から出力されて、外部用変換器１２へ出力される（ステップＳ４２０）。Ｌ３ＳＷ１１から外部用変換器１２に入力された電気信号は、外部用変換器１２で、例えば波長１．３（μｍ）の光信号に変換されて（ステップＳ４３０）、変換された、例えば波長１．３（μｍ）の光信号は、ローカルエリア光ネットワークシステム１外へ出力される（ステップＳ４４０）。
【００３８】
次に、ローカルエリア光ネットワークシステム１のサブネットワークのノードに接続された端末装置から他のサブネットワークのノードに接続された端末装置または同じサブネットワークの他のノードに接続された端末装置へデータが転送される場合について図８を参照しつつ説明する。図８は、ローカルエリア光ネットワークシステム１の動作フローを示すフローチャートである。但し、図８は、図１におけるサブネットワーク４ｃのノード６０ｃｂに接続された端末装置からサブネットワーク４ｄのノード６０ｄｃに接続された端末装置へデータが転送される場合である。尚、これ以外のノードに接続された端末装置間のデータ転送も十つ的に同様である。
【００３９】
ローカルエリア光ネットワークシステム１のサブネットワーク４ｃのノード６０ｃｂに接続された端末装置からの電気信号が、ノード６０ｃｂに到達し（ステップＳ５１０）、ノード６０ｃｂに到達した電気信号は、外部用変換部６２ｃｂに入力されて波長λ12の光信号に変換される。外部用変換部６２ｃｂに変換された波長λ12の光信号は、ＯＡＤＭモジュール６１ｃｂに入力され、ＯＡＤＭモジュール６１ｃｂに入力された波長λ12の光信号は、ＯＡＤＭモジュール６１ｃｂによってサブネットワーク４ｃの光ファイバ５ｃにアッドされる（ステップＳ５２０）。光ファイバ５ｃにアッドされた波長λ12の光信号は、光ファイバ５ｃ中を伝送し、ノード６０ｃｃのＯＡＤＭモジュール６１ｃｃをスルーし（ステップＳ５３０）、サブコントローラ３０ｃのＭＰＸモジュール３３ｃへ到達する（ステップＳ５４０）。ＭＰＸモジュール３３ｃに到達した波長λ12の光信号は分波器３５ｃで分波されて変換器４２ｃへ出力され、波長λ12の光信号は、変換器４２ｃで電気信号に変換され、Ｌ３ＳＷ３１ｃのポートＳＰ２へ出力される（ステップＳ５５０）。Ｌ３ＳＷ３１ｃに入力された電気信号は、Ｌ３ＳＷ３１ｃのスイッチング機能により、それに含まれる宛先アドレスに基づいて、その宛先アドレスに対応するポート、ここでは、ポートＳＰ０から出力されて、外部用変換器３２ｃへ出力される（ステップＳ５６０）。Ｌ３ＳＷ３１ｃから外部用変換器３２ｃに入力された電気信号は、外部用変換器３２ｃで波長λ03の光信号に変換されて（ステップＳ５７０）、変換された波長λ03の光信号は、サブコントローラ３０ｃのＯＡＤＭモジュール５０ｃに出力される。ＯＡＤＭモジュール５０ｃに入力された波長λ03の光信号は、ＯＡＤＭモジュール５０ｃによって、メインネットワーク２の光ファイバ３にアッドされる（ステップＳ５８０）。
【００４０】
光ファイバ３にアッドされた波長λ03の光信号は、光ファイバ３中を伝送し、サブコントローラ３０ｄのＯＡＤＭモジュール５０ｄをスルーし（ステップＳ５９０）、メインコントローラ１０のＭＰＸモジュール１３へ到達する（ステップＳ６００）。ＭＰＸモジュール１３に到達した波長λ03の光信号は分波器１５で分波されて変換器２３へ出力され、波長λ03の光信号は、変換器２３で電気信号に変換され、Ｌ３ＳＷ１１のポートＳＰ３へ出力される（ステップＳ６１０）。Ｌ３ＳＷ１１に入力された電気信号は、Ｌ３ＳＷ１１のスイッチング機能により、それに含まれる宛先アドレスに基づいて、その宛先アドレスに対応するポート、ここでは、ポートＳＰ４から出力されて、ＭＰＸモジュール１３に入力される（ステップＳ６２０）。Ｌ３ＳＷ１１からＭＰＸモジュール１３に入力された電気信号は、変換器２４で波長λ04の光信号に変換される（ステップＳ６３０）。変換器２４で変換された波長λ04の光信号は、合波器１４へ出力され、合波器１４で他の波長の光信号と合波され、メインネットワーク２の光ファイバ３へ出力される（ステップＳ６４０）。光ファイバ３に入力された波長λ04の光信号は、光ファイバ３中を伝送し、サブコントローラ３０ａのＯＡＤＭモジュール５０ａと、サブコントローラ３０ｂのＯＡＤＭモジュール５０ｂと、サブコントローラ３０ｃのＯＡＤＭモジュール５０ｃとをスルーし（ステップＳ６５０）、さらに光ファイバ３中を伝送し、サブコントローラ３０ｄのＯＡＤＭモジュール５０ｄでドロップされ、サブネットワーク４ｃのサブコントローラ３０ｃに到達する（ステップＳ６６０）。
【００４１】
そして、サブコントローラ３０ｄに到達した光信号は、サブコントローラ３０ｄの外部用変換器５０ｄで波長λ04の光信号から電気信号に変換され、Ｌ３ＳＷ３１ｄのポートＳＰ０へ出力される（ステップＳ６７０）。Ｌ３ＳＷ３１ｄに入力された電気信号は、Ｌ３ＳＷ３１ｄのスイッチング機能により、それに含まれる宛先アドレスに基づいて、その宛先アドレスに対応するポート、ここでは、ポートＳＰ３から出力されて、ＭＰＸモジュール３３ｄに入力される（ステップＳ６８０）。Ｌ３ＳＷ３１ｄからＭＰＸモジュール３３に入力された電気信号は、変換器４３ｄで波長λ13の光信号に変換される（ステップＳ６９０）。変換器４３ｄで変換された波長λ13の光信号は、合波器３４ｄへ出力され、他の波長の光信号と合波され、サブネットワーク４ｄの光ファイバ５ｄへ出力される（ステップＳ７００）。光ファイバ５ｄに入力された波長λ13の光信号は、光ファイバ５ｄ中を伝送し、ノード６０ｄａのＯＡＤＭモジュール６１ｄａと、ノード６０ｄｂのＯＡＤＭモジュール６１ｄｂをスルーし（ステップＳ７１０）、さらに光ファイバ５ｄ中を伝送し、ノード６０ｄｃのＯＡＤＭモジュール６１ｄｃでドロップされ、ノード６０ｄｃに到着する。ノード６０ｄｃに到着した波長λ13の光信号は、外部用変換器６２ｄｃに出力される。外部用変換器６２ｄｃに出力された光信号は、光信号から電気信号に変換されてノード６０ｄｃに接続された端末装置へ出力される（ステップＳ７２０）。
【００４２】
以上説明したように第１の実施の形態においては、建物７０ａ〜７０ｄ間を接続するメインネットワーク２に各建物７０ａ〜７０ｄ内のローカルエリアネットワークであるサブネットワーク４ａ〜４ｄが階層的に接続されており、メインネットワーク２において使用される光ファイバ３、及び各サブネットワーク４ａ〜４ｄにおいて使用される光ファイバ５ａ〜５ｄが物理的に独立する。このため、メインネットワーク２、及び、各サブネットワーク４ａ〜４ｄ間において、独立して光信号の波長を割り振ることができ、使用する光信号の波長の数を少なく抑えることができる。また、サブネットワーク４ａ〜４ｄは、サブコントローラ３０ａ〜３０ｄを介してサブネットワーク４ａ〜４ｄの近傍にある光ケーブル３に夫々接続されればよい。これにより、ビル間通信の場合でも光ファイバの増設を最小限に抑えて容易にネットワークシステムの通信対象を増設することができる。また、サブコントローラを標準化し、さらにサブコントローラと類似の機能を有するメインコントローラとの部品を共通化することで製造コストを下げることができる。これによりローカルエリア光ネットワークシステムを安価に構成することができる。
【００４３】
＜第２の実施の形態＞
以下、本発明に係る第２の実施の形態について図面を参照しつつ説明する。第１の実施の形態と異なる点は、ローカルエリア光ネットワークシステムの適用対象と、メインネットワークにノードが接続されている構成とであるので、この点について説明する。尚、具体的な装置の構成、及び動作は第１の実施の形態と同じであるので省略する。
【００４４】
まず、本発明に係る第２の実施の形態におけるローカルエリア光ネットワークシステムの構成について図９を参照しつつ説明する。図９は、第２の実施の形態におけるローカルエリア光ネットワークシステム１のシステム構成の一例を示す図である。尚、図中の矢印は光信号の伝送方向を示している。
【００４５】
図９に示すローカルエリア光ネットワークシステム１は、建物７０内のフロア７１ａ〜７１ｄ間を接続するネットワークであるメインネットワーク２を構成し、公衆回線など外部のネットワークに接続されたメインコントローラ１０と、メインコントローラ１０に接続された第１の光ファイバである光ファイバ３と、サブコントローラ３０ｂ，３０ｃを介して光ファイバ３上に接続されたサブネットワーク４ｂ，４ｃと、光ファイバ３に接続され、光ファイバ３と端末７２ａ，７２ｄとの接続を中継するノード６０ａ，６０ｄとを備えている。
【００４６】
建物７０は、フロア７１ａ〜７１ｄで構成されており、フロア７１ａには、メインネットワーク２の光ファイバ３に接続されたメインコントローラ１０と、ノード６０ａが夫々配置されている。ノード６０ａには端末７２ａが接続されている。
フロア７１ｂには、メインネットワーク２の光ファイバ３に接続されたサブコントローラ３０ｂが配置されている。さらに、フロア７１ｂには、サブコントローラ３０ｂを介して光ファイバ３に接続されたサブネットワーク４ｂが配置されている。サブネットワーク４ｂは、サブコントローラ３０ｂと、サブコントローラ３０ｂに接続されている第２の光ファイバである光ファイバ５ｂと、光ファイバ５ｂに接続され、光ファイバ５ｂと各種端末との接続を中継するノード６０ｂａ〜６０ｂｃとから構成されている。
フロア７１ｃには、メインネットワーク２の光ファイバ３に接続されたサブコントローラ３０ｃが配置されている。さらに、フロア７１ｃには、サブコントローラ３０ｃを介して光ファイバ３に接続されたサブネットワーク４ｃが配置されている。サブネットワーク４ｃは、サブコントローラ３０ｃと、サブコントローラ３０ｃに接続されている第２の光ファイバである光ファイバ５ｃと、光ファイバ５ｃに接続され、光ファイバ５ｃと各種端末との接続を中継するノード６０ｃａ〜６０ｃｃとから構成されている。
フロア７１ｄには、メインネットワーク２の光ファイバ３に接続されたノード６０ａが配置されている。ノード６０ａには端末７２ａが接続されている。
【００４７】
次にノード６０ａ，６０ｄの構成について説明する。ノード６０ａ，６０ｄは、光ファイバ３において、互いにドロップ、またはアッドする光信号の波長が異なること以外の基本的な構成は同一であるのでノード６０ａについてのみ説明する。ノード６０ａは、メインネットワーク２の光ファイバ３の途中に挿入さている第３の光モジュールであるＯＡＤＭモジュール６１ａと、ＯＡＤＭモジュール６１ａに接続された外部用変換器６２ａとを備えている。
ＯＡＤＭモジュール６１ａは、ＯＡＤＭモジュールの作用例である図４（ａ）に示すように、光ファイバ中を伝送している波長λ01〜λ08の光信号の中から予め光ファイバ３上で他のＯＡＤＭモジュールと重複しないように決められている波長λ01（図４の例では波長λ03）の光信号をドロップするとともに、波長λ01以外の光信号をそのままスルーする。また、ＯＡＤＭモジュール６１ａは、図４（ｂ）に示すように、波長λ01（図４の例では波長λ03）の光信号を光ファイバにアッドする。
外部用変換器６２ａは、光／電気変換器と電気／光変換器とを有する変換器であり、コンピュータなどの端末装置等が接続される。
尚、メインネットワーク２の例では光ケーブル３に２つのノード６０ａ，６０ｄが接続されているが、サブコントローラのＭＰＸモジュールが有するポート数を限度にノード追加することも可能であるし、接続されているノードが無くてもよい。
【００４８】
このようにローカルエリア光ネットワークシステム１は、建物７０内のフロア７１ａ〜７１ｄ間を接続するネットワークであるメインネットワーク２を第１階層、フロア毎に構成されたネットワークであるサブネットワーク４を第２階層とした階層構造となっている。
【００４９】
以上説明したように第２の実施の形態においては、建物７０内のフロア７１ａ〜７１ｄ間を接続するネットワークであるメインネットワーク２にフロア７１ｂ，７１ｃ内のネットワークであるサブネットワーク４ｂ，４ｃが階層的に接続されており、メインネットワーク２において使用される光ファイバ３、及び各サブネットワーク４ｂ，４ｃにおいて使用される光ファイバ５ｂ、５ｃが物理的に独立する。このため、メインネットワーク２、及び、各サブネットワーク４ｂ，４ｃ間において、独立して光信号の波長を割り振ることができ、使用する光信号の波長の数を少なく抑えることができる。また、サブネットワーク４ｂ，４ｃは、サブコントローラ３０ｂ，３０ｃを介してサブネットワーク４ｂ，４ｃの近傍にある光ケーブル３に夫々接続されればよい。これにより、大規模ビル内のネットワークの場合でも光ファイバの増設を最小限に抑えて容易にネットワークシステムの通信対象を増設することができる。また、サブコントローラを標準化し、さらにサブコントローラと類似の機能を有するメインコントローラとの部品を共通化することで製造コストを下げることができる。これによりローカルエリア光ネットワークシステムを安価に構成することができる。
【００５０】
以上、本発明の実施の形態例について説明したが、本発明は上述の実施の形態に限られるものではなく、特許請求の範囲に記載した限りにおいて、様々な設計変更が可能なものである。例えば、本実施の形態では、光モジュールにＯＡＤＭモジュールを使用している場合であるが、これに限らず、光モジュールの全て、或いは、一部に、光ファイバから光信号をドロップする光ドロップモジュールを使用するように構成しても良い。また、光モジュールの全て、或いは、一部に、光ファイバに光信号をアッドする光アッドモジュールを使用するように構成しても良い。さらに、ＯＡＤＭモジュール、光ドロップモジュール、及び光アッドモジュールの全てが含まれるように構成しても良い。
また、上述の実施の形態では、ＯＡＤＭモジュールに光信号／電気信号、電気信号／光信号の変換器を設けて通信端末と電気的に接続する構成であるが、ＯＡＤＭモジュールと通信端末とを直接光ファイバで接続する構成でもよい。
【００５１】
【発明の効果】
請求項１、請求項２、請求項３によると、メインネットワークにサブネットワークが階層的に接続されており、メインネットワークにおいて使用される光ファイバ、及び各サブネットワークにおいて使用される光ファイバが物理的に独立する。このため、メインネットワーク、及び、各サブネットワーク間において、独立して光信号の波長を割り振ることができ、使用する光信号の波長の数を少なく抑えることができる。また、サブネットワークは、サブコントローラを介してサブネットワークの近傍にある第１の光ケーブルに夫々接続されればよい。これにより、光ファイバの増設を最小限に抑えて容易にネットワークシステムの通信対象を増設することができる。また、サブコントローラを標準化し、さらにサブコントローラと類似の機能を有するメインコントローラとの部品を共通化することで製造コストを下げることができる。これによりローカルエリア光ネットワークシステムを安価に構成することができる。
【００５２】
請求項４によると、メインネットワークの光ファイバ内を伝送する複数波長の光信号をメインコントローラで集中管理することでメインネットワーク上の通信対象間で複雑な光信号管理をする必要がなくなる。
【００５３】
請求項５によると、メインコントローラを介してローカルエリア光ネットワークシステムと公衆回線や、他のネットワークとの接続が可能となる。
【００５４】
請求項６によると、サブネットワークの光ファイバ内を伝送する複数波長の光信号をサブコントローラで集中管理することでサブネットワーク上の通信対象間で複雑な光信号管理をする必要がなくなる。
【００５５】
請求項７によると、メインネットワークに、サブネットワークだけでなく通信対象を直接接続することができるため、より柔軟なネットワークを構成することができる。
【図面の簡単な説明】
【図１】第１の実施の形態に係るローカルエリア光ネットワークシステムのシステム構成の一例を示す図である。
【図２】図１に示すメインコントローラの内部構成を示したブロック図である。
【図３】図１に示すサブコントローラの内部構成を示したブロック図である。
【図４】ＯＡＤＭモジュールの作用例である。
【図５】ノードの内部構成を示したブロック図である。
【図６】ローカルエリア光ネットワークシステムの動作フローを示すフローチャートである。
【図７】ローカルエリア光ネットワークシステムの動作フローを示すフローチャートである。
【図８】ローカルエリア光ネットワークシステムの動作フローを示すフローチャートである。
【図９】第２の実施の形態に係るローカルエリア光ネットワークシステムのシステム構成の一例を示す図である。
【符号の説明】
１  ローカルエリア光ネットワークシステム
２  メインネットワーク
３  サブネットワーク
１０  メインコントローラ
１１，３１ｃ  Ｌ３ＳＷ
１３，３３ｃ  ＭＰＸモジュール
３０ａ〜３０ｄ  サブコントローラ
６０ｃａ〜６０ｃｃ  ノード
【図１】
2004208215.tif 000003
【図２】
2004208215.tif 000004
【図３】
2004208215.tif 000005
【図４】
2004208215.tif 000006
【図５】
2004208215.tif 000007
【図６】
2004208215.tif 000008
【図７】
2004208215.tif 000009
【図８】
2004208215.tif 000010
【図９】
2004208215.tif 000011